(57)【要約】【課題】  ノック式により扉開閉が容易に行え、かつ、振動により扉が開かない耐震性能に優れる扉ロック装置を提供する。【解決手段】  閉じられる扉４０の面に押されることで変位する作動体７と、作動体７を扉４０の面側に付勢するバネ体４と、扉４０の第１の押し込み動作により作動体７を押し込み位置に保持し、つづく第２の押し込み動作により作動体７を復帰させる作動案内体２０と、第１の押し込み動作により押し込まれる作動体７に連動して扉４０のロック位置に突出するロック体１２とが備えられてなることを特徴とする扉ロック装置。【選択図】図２
2007177602.tif 000002
【特許請求の範囲】
閉じられる扉の面に押されることで変位する作動体と、
前記作動体を前記扉の面側に付勢するバネ体と、
前記扉の第１の押し込み動作により前記作動体を押し込み位置に保持し、つづく第２の押し込み動作により前記作動体を復帰させる作動案内体と、
前記第１の押し込み動作により押し込まれる前記作動体に連動して前記扉のロック位置に突出するロック体と、
が備えられてなることを特徴とする扉ロック装置。
【発明の詳細な説明】
【技術分野】
【０００１】  この発明は、耐震性能を有する扉ロック装置に関する。
【背景技術】
【０００２】  現在、流し台や吊り戸棚の扉として、開閉がノック式、すなわち、押すことで開き、再び押すことで閉じるタイプのものがあり、このものは開閉操作が容易に行えるので広く採用されている。
【発明の開示】
【発明が解決しようとする課題】
【０００３】  しかしながら、上記構成のものは扉の閉じ状態は通常マグネットの磁着によって保たれており、振動が大きい場合には扉が容易に開いてしまう問題がある。すなわち、大きな地震発生の際には扉が開いて内部の収納物が飛び出し、危険であるとともに、後片付けも大変となる問題があった。【０００４】  この発明では、上記のノック式の扉開閉が可能な構成において、振動により扉が開かないようにすることを目的とする。
【課題を解決するための手段】
【０００５】  この発明では、閉じられる扉の面に押されることで変位する作動体と、前記作動体を前記扉の面側に付勢するバネ体と、前記扉の第１の押し込み動作により前記作動体を押し込み位置に保持し、つづく第２の押し込み動作により前記作動体を復帰させる作動案内体と、前記第１の押し込み動作により押し込まれる前記作動体に連動して前記扉のロック位置に突出するロック体とが備えられてなることを特徴とする扉ロック装置を提供する。【０００６】  この発明の扉ロック装置によれば、扉の第１の押し込み動作により作動体が押し込み位置に保持され、つづく第２の押し込み動作により作動体が復帰されることでノック式の扉開閉が可能であるとともに、扉の閉時にはロック体により扉がロックされることで振動により開くことがない。
【発明の効果】
【０００７】  この発明によれば、ノック式により扉開閉が容易に行え、かつ、振動により扉が開かない耐震性能に優れる扉ロック装置が得られる。
【発明を実施するための最良の形態】
【０００８】  図１はこの発明の扉ロック装置の外観を示す斜視図、図２は同じく内部構成を示す斜視図である。【０００９】  扉ロック装置１は、基台２とその上部に取り付けられるカバー３と内部に配置される各種要素とからなる。基台２の中央には長手方向にスライド溝５が設けられ、そのスライド溝５内に移動可能に直方体形状の作動ブロック（作動体）７が配置されている。４はコイルバネ（バネ体）であり、一端側はスライド溝５の奥端に納められ他端側は作動ブロック７の端部に突出形成されたボス９に被嵌されて設けられ、作動ブロック７をスライド溝５内から押し出す方向に付勢している。【００１０】  上記作動ブロック７の上面には略ハート型の案内溝１０が設けられ、また、作動ブロック７は上下分離構造で内部にロックレバー（ロック体）１２が装着されている。ロックレバー１２はその略中央位置が軸支ピン１４により軸支持されて回転可能とされ、その両端は作動ブロック７の両側に設けられた開口それぞれから突出する。ロックレバー１２の一端側には係合凹部１５が設けられ、この係合凹部１５内に基台２から突設される位置決めピン１７が位置し、ロックレバー１２の他端側はロック片１８となっている。【００１１】  ２０は両端が折り曲げ形状となった金属線材（作動案内体）で、一端は基台２のスライド溝５の奥端に隣接して形成された突部２２に、他端は作動ブロック７の案内溝１０にそれぞれ係止されて取り付けられている。【００１２】  カバー３の裏面の作動ブロック７に相対する位置には、金属線材２０の押圧保持用の板バネ２５が取り付けられている。【００１３】  以下、上記扉ロック装置１の使用に際しての動作を図３、図４を用いて説明する。図３、図４は下方から見た図である。扉ロック装置１は図１に示すものが上下逆位置とされて、例えば、家具キャビネットの天板下面の扉４０に近い位置に取り付けられる。図３は扉４０が閉じられた状態を示し、扉ロック装置１は図１、図２に示すロック片１８が側方に突出する状態で、そのロック片１８が扉４０側に取り付けられたロック部材４１のロック部４２に係止し、これにより扉４０の閉じ状態が維持されている。４３はキャビネットの側板である。【００１４】  この状態においては、金属線材２０の先端は案内溝１０の先端側の係止部３０に係止している。扉４０を開けるべく押し込むと、ロック部材４１を介してコイルバネ４の付勢力に抗して作動ブロック７が押し込まれる。これにより金属線材２０の先端が案内溝１０の係止部３０から外れると、コイルバネ４で押されることで作動ブロック７は扉４０側に押し出され、これに伴ってロックレバー１２が回転変位することでロック片１８が作動ブロック７内にほぼ納められ、ロック片１８のロック部４２への係止が解除されることで扉４０は開く。【００１５】  案内溝１０の係止部３０から外れた金属線材２０の先端は、案内溝１０内を矢印Ｘ方向に進み、図４を示すように、案内溝１０の基端側の係止部３１に係止し、これにより作動ブロック７の扉４０側への移動が停止する。【００１６】  さらに、図４の状態において、扉４０を閉じるべく押し込むと作動ブロック７が押し込まれることで金属線材２０の先端は案内溝１０内を矢印Ｙ方向に進み、これに伴ってロックレバー１２が回転することでロック片１８が側方に突出してロック部４２に係止し、扉４０の押し込みが終わった段階で図３の状態に戻る。【００１７】  上記の作動ブロック７の移動に伴う金属線材２０の先端の案内溝１０内における所定方向への移動は案内溝１０の形態（平面形状及び深さの段階的に変わる形状）により可能となり、その形態はノック式の扉開閉に用いられる機構において従来より採用された形態と同様である。【００１８】  上記のようにして、扉４０はノック式の開閉が可能であるとともに、ロック片１８が扉４０側のロック部４２に係止することで扉４０は閉じ状態に維持され、地震等の振動により扉が開くことが確実に防止される。
【図面の簡単な説明】
【図１】  この発明の扉ロック装置の実施形態の外観斜視図
【図２】  この発明の扉ロック装置の実施形態の内部構成を示す斜視図
【図３】  この発明の扉ロック装置の実施形態の動作説明図
【図４】  この発明の扉ロック装置の実施形態の動作説明図
【符号の説明】
４  コイルバネ（バネ体）
７  作動ブロック（作動体）
１２  ロックレバー（ロック体）
２０  金属線材（作動案内体）
４０  扉
【図１】
2007177602.tif 000003
【図２】
2007177602.tif 000004
【図３】
2007177602.tif 000005
【図４】
2007177602.tif 000006